(57)【要約】【課題】  屋上等に植栽マット体を用いて植栽緑化を施工する場合、規格品の植栽マット体だけでは難しく、現場で植栽マット体を加工する余分な手間と労務費が掛かる。さらに施工箇所が遠距離の場合、成形物である植栽マット体の運搬費等が嵩み施工単価が割高になっていた。これらの課題を解決の上で、景観上支障となる地上支柱がなくとも強風によって植栽木が倒木することなく、既存の建物屋上にでも高木を交えた庭園型植栽緑化を可能とする植栽緑化工法の開発。【解決手段】  現地調達の植生基盤土と不織布シート・ラッセルネットシートとを  現場で型枠を用いて現場形状に合わせた植栽マット体を形成し、植栽マット体上の樹木植栽位置に鉄筋・鉄輪・鋼管を用いた樹木固定基礎体を配置し、根鉢部に根鉢補助具を装着した植栽木を樹木固定基礎体に樹木固定具を用いて垂直に固定し、該根鉢部を含め全体に１０ｃｍ厚程度の覆土をして、全面に張芝を施した無土壌面樹木植栽緑化工法。【選択図】図１
2010284083.tif 000002
【特許請求の範囲】
【請求項１】
掛止角を装着した基本型枠と掛止角が通る孔口が形成されている割増型枠を組み合わせて、不織布シート、ラッセルネットシート、樹脂系ネットを用いて施工箇所の形状に合わせ、植栽マット体を現場で形成することを特徴とする植栽マット製造方法。
【請求項２】
植栽緑化範囲に５ｃｍ厚の植栽マット体を敷設し、樹木植栽位置に鉄筋・鉄輪・鋼管を用いた樹木固定基礎体を配置し、根鉢部に根鉢補助具を装着した植栽木を樹木固定基礎体に樹木固定具を用いて垂直に固定し、該根鉢部を含め全体に１０ｃｍ厚程度の覆土をし、全面に張芝を施した無土壌面樹木植栽緑化工法。
【発明の詳細な説明】
【技術分野】
【０００１】
本発明は、コンクリートを打設した屋上床面やアスファルト又はコンクリートで舗装された無土壌面に植栽マット体を形成し、地上に突出する支柱を使用せず、樹木の大きさを問わず植栽できる植栽緑化工法に関するものである。
【背景技術】
【０００２】
市街地は、都市化が進むに従って高層建築が乱立するとともに、地面の多くがアスファルトやコンクリートによる舗装が行なわれ植物の生育場所が減少し、草花や樹木類の植物が少なくなり自然環境が失われている。しかも高層建築物から排出される熱エネルギーは、地球温暖化など自然環境を壊す一因となっている。このため、人間社会に癒しや潤いを与え、生活周辺に自然環境を取り戻すために市街地の緑化が強く要求されている。
【０００３】
そこで、当社が開発した特許文献１の「樹木固定具を用いたコンクリート打設面用の樹木生育装置とその樹木生育工法」や特許文献２の「樹木系植物の緑化工法と薄型緑化システム」を用いての植栽緑化が普及しつつある。
【０００４】
しかし、特許文献１の工法は、ボックス型植栽箱に樹木固定具を用いて植栽木を固定植栽する植栽工法で、屋上や店舗前の修景緑化に適しているが、植栽箱を配置する庭園設計は、従来の庭園造りとしては、自然感に物足りなさがあった。さらに緑化範囲に基礎鉄筋部と貯水部を設けてあるため、荷重制限が厳しい既存建物への設置は重量的に限界があった。
【０００５】
また、特許文献２の手法は、薄型植生マット体の表面に、腐食しにくいネット状又は格子状の抑え体が固定されている緑化対象域に、樹木系植物を植栽し、無土壌面や既存の植生緑化施工面に草花類及びセダム系植物を植え付けるだけでなく、樹木を含め簡単に緑化するための樹木系植物の緑化工法とそのための薄型緑化システムであるが、樹木と言っても低木植栽となるため既存建物への設置は可能であったが庭園的な景観に物足りなさがあった。
【先行技術文献】
【特許文献】
【０００６】
【特許文献１】特許第３４１６７９９号
【特許文献２】特許第３８９６３６０号
【発明の概要】
【発明が解決しようとする課題】
【０００７】
荷重制限を考慮して屋上等の無土壌面に植栽マット体を用いて植栽緑化を施工する場合に、一般的に施工域の形状は不整形が多いため、規格品の方形植栽マット体だけで緑化範囲を覆う事が難しいため、現場状況に合わせ植栽マット体を手縫い加工（植栽マット体を切断すると縫い糸がほどけマット体がバラバラになってしまう）して、敷設する余分な手間と労務費が掛かる。さらに施工箇所が遠距離の場合、成形物である植栽マット体の運搬費等の経費がかさみ施工単価が割高になっていた。これらの課題を解決した上で既存の建物屋上にでも高木や中低木を交えた庭園型植栽緑化を可能とし、景観上支障となる支柱がなくとも、ビル風や風雨などの強風によって植栽木が倒木することなく、自然的な樹木の景観を保てる植栽緑化工法の開発。
【課題を解決するための手段】
【０００８】
上記課題を解決するため、現地にて植生基盤土を調達し、現場にて掛止角が突出している基本型枠と掛止角が通る孔口が形成されている割増型枠に不織布シート、ラッセルネットシート、樹脂系ネットを用いて植栽基盤土を現場形状に合わせたマット体を形成敷設し
、縁廻り末端部分に空間が空く場合には、植栽マット体と端部の間に空いた空間部にラッセルネットシート、不織布シートの順に敷設し、水で練った植生基盤土を覆土し、該不織布シート、該ラッセルネットシートで包み込みマット体に形成する。また、荷重制限が厳しい既存の建物屋上への高木や中低木を交えた庭園型植栽緑化は、荷重の大部分を占める植栽土壌を５ｃｍ厚の植栽マット体及び約１０ｃｍ厚の盛土により、植物が生育可能な１５ｃｍ前後の生育基盤土層とし、５ｃｍ厚の植栽マット体上に樹木固定基礎体・根鉢補助具・樹木固定具を用いて植栽木を垂直に固定植栽後、全体に約１０ｃｍ厚に盛土し、表面に張芝を施し、風雨等による飛散や流出の防止と軽量化を図った無土壌面樹木植栽緑化工法。
【発明の効果】
【０００９】
現地調達の植生基盤土を用い、型枠を使って施工箇所に合った植栽マット体を成形し、緑化域に残った不整形の空間部に従来のように縫製することなく施工箇所に合った植栽マット体を包製成形し、敷設することにより、労務費等の経費削減が図られ施工単価を引き下げられた。また、植栽マット内に樹脂系ネットが入っていることにより持ち運ぶ場合でも型くずれすることなく設置でき、やがて植栽植物の根が該樹脂系ネットに絡み植栽マット体と一体となり、植栽植物が強風で飛散することがない。
【００１０】
屋上緑化に植栽マット体を使用したことにより、風雨等による植栽基盤土の流失がなく、樹木を植栽する場合でも特別厚い盛土を形成することなく、また樹木固定基礎体と樹木固定具を用いた簡単な組立作業により、支柱を使わず自由な位置に植栽し、盛土層内に安定した状態で保持できるため、本格的庭園造りが短期間に低コストで施工できる。
【００１１】
また、植栽木の根鉢を樹木根鉢補助具に仮植することにより、根鉢底部が平になるため、植栽木は傾きやぐらつきがなく、樹木固定基礎体に垂直に固定され、強風や振動によって倒木することがなく、さらに従来の基礎鉄筋部と貯水槽部をなくしたことにより、盛土を含め重量の大幅削減が図られ、既存のビル屋上にでも高木を交えた庭園緑化が可能となった。
【図面の簡単な説明】
【００１２】
【図１】マット体を形成する型枠を示す平面図である。
【図２】植栽基盤土を水重量で圧縮する転圧ローラーを示す斜視図である。
【図３】マット体を形成する手順を示す説明図である。
【図４】植栽木を固定する樹木固定基礎体を示す斜視図である。
【図５】植栽木の根鉢部を保護固定する樹木根鉢補助具を示す斜視図である。
【図６】根鉢部固定具の部材を示す説明図である。
【図７】樹木固定基礎体に植栽木を植立固定した状態を示す斜視図である。
【図８】植栽マット上に樹木植栽と周囲を芝生緑化した状態を示す完成図である。
【発明を実施するための形態】
【００１３】
以下、本発明の緑化工法の実施形態について、図面に基づいて詳細に説明する。
【実施例】
【００１４】
始めに屋上の植栽緑化範囲全面に防水シートを、防水シートの重ね合わせ箇所に粘着剤を施しながら隙間なく敷設し、その上全面とパラペット部の立ち上り部分に防根シートを
、防根シートの重ね合わせ箇所に粘着剤を施しながら隙間なく敷設し、その上に植栽マット体を隙間なく敷設する。
図１に示す平面図は、現地調達した植生基盤土を不織布シートとラッセルネットシートとで包み、５ｃｍ厚の植栽マット体を形成するアルミ板型枠を示したものである。
イは、植栽基盤土をマット体化する基本型枠１を示す。その大きさは、枠内が縦１ｍ・横１ｍ・高さが５ｃｍで、上部L型部１ａは、幅３ｃｍで、その一辺に3箇所ラッセルネットシートが掛止めできる掛止角１ｂが突出しており、縦１ｍ横１厚さ５ｃｍのマット体を形成するための基本型枠である。なお、他に基本型枠の大きさは、縦１ｍ×横５０ｃｍ、縦５０ｃｍ×横５０ｃｍの他、また形は、三角形、台形等、現場に合わせ製作可能な基本型枠がある。
ロは、イの上に重ねて使用する割増型枠２で、型枠内の大きさは、縦１ｍ・横１ｍ・高さが２ｃｍで、下部L型２ａは幅３ｃｍで、一辺に3箇所掛止角が通る孔２ｂが形成され、植栽基盤土を転圧ローラーで転圧した時の圧縮目減り量約3割（約２ｃｍ）の植栽基盤土を盛土するための割増型枠である。なお、この割増型枠は、基本型枠の大きさに合わせて製作されている。
【００１５】
図２は、割増型枠内の所定位置まで盛土した植栽基盤土を基本型枠の高さまで転圧する転圧ローラー３である。直径３０ｃｍ・長さが４０ｃｍ前後の鋼管の両端を塞ぎ、左右円の中心部にベアリング３ａを用いた牽引棒３ｂと円周近くに水の給排水口３ｃが形成された転圧ローラー３である。この転圧ローラーは、使用時ローラー内部に給水して水の重さで植栽基盤土を転圧し、片付けるときには、水を抜き取るため、軽量で持ち運びが便利な転圧ローラーである。なお、転圧ローラーは、鋼管だけでなくアルミ管・樹脂管にて形成される場合もある。
【００１６】
図３は、図１の基本型枠と図2の転圧ローラーを用いて、植生基盤土をマット体にする手順を示した説明断面図である。
イは、基本型枠１内に、まず植栽基盤土を包み込む不織布シート５を保護する中低圧ポリエチレンのラッセルネットシート４を、上部Ｌ型部１ａの平面部に重なるように重ね掛止角１ｂに掛止させ、枠内に添って敷設する。次にその上に植栽基盤土を包み込むポリエステル製の不織布シート５を該ラッセルネットシートと同じく敷設する。なお、いずれのシートも植物の根や芽を通す目合のシートで基本型枠の大きさに植栽基盤土の厚さと上部Ｌ型部の長さと表面を覆う長さで切り揃えたシートである。
【００１７】
ロは、イでラッセルネットシートと不織布シートとを敷設した基本型枠の上部Ｌ型部１ａの掛止角に、割増型枠２の下部Ｌ型部２ａに形成した孔口が重なるように割増型枠を重ね、枠内の中間部分の高さまで植栽基盤土６を盛土し、切断加工が容易な樹脂系ネット７を枠内幅に合わせ敷設し、その上に転圧後５ｃｍ厚になるように該割増型枠内の上部まで植栽基盤土６を盛土した状態を示したものである。
【００１８】
ハは、型枠内に盛土した植栽基盤土６上に転圧ローラー３を載せ、基本型枠１の５ｃｍ高まで植栽基盤土を転圧した状態を示したものである。なお、植栽基盤土は、軽量で保水力の高い機能をもつ、ココピート３０％、水苔２０％、バーク堆肥２０％、黒土２０％、ピートモス１０％の混合土に有機肥料、遅効性肥料、化成肥料を混合した植栽基盤土とする。
【００１９】
ニは、基本型枠１の５ｃｍ高まで植栽基盤土の転圧完了後、割増型枠を外し、基本型枠の上部Ｌ型平面部１ａの掛止角１ｂに掛止している不織布シート５を外し、植栽基盤土６の縁周り土を巻き込むように不織布シートで包み込む、次に掛止角からラッセルネットシート４を外し、不織布シートと同じ手順で、縁周りを巻き込んでいるラッセルネットシートと表面を覆うラッセルネットシートが重なり合う縁周りでラッセルネットシート同士を約２０ｃｍ前後の一定間隔で粘着し植栽基盤土をマット体化する。
【００２０】
以上図３のイからニの手順で、型枠を用いて現場形状に合わせた規格外の植栽マット体を形成し、緑化範囲に隙間なく敷設していき、縁廻り末端部分に空間が空く場合には、植栽マット体と端部の間に開いた空間部にラッセルネットシート、不織布シートの順に敷設し、植生基盤土を覆土転圧し、該不織布シート、該ラッセルネットシートで包み込みラッセルネットシート同士の重ね合わせ箇所を一定間隔で粘着しマット体に形成する。
【００２１】
図４は、薄層基盤土上に地上部支柱を使用せずに樹木の植栽を可能とする樹木固定基礎体を示すものである。
イは、樹木固定基礎体８の部材を示すもので、植栽木の樹高・枝張・幹周に応じて太さ９ミリ〜２２ミリの鉄筋で根鉢径に合わせ格子状に形成する長さ１ｍの鉄筋８ａと  樹木固定具のJ型アンカーの掛止フック部を掛止する鉄輪８ｂと  樹木に合わせ鉄筋を継ぎ足す場合の継手用鋼管８ｃからなる樹木固定基礎体８である。
ロは、樹木固定基礎体を緑化範囲で樹木植栽位置に設置した状態を示したもので植栽樹木の根鉢径に合わせ鉄筋８ａを格子状に組み、鉄筋の交差部分を鉄線や結束バンドで結束８ｄ後、格子上に組んだ鉄筋の下部となった鉄筋に鉄輪８ｂを格子状の四隅に形成し、植栽樹木を固定する樹木固定基礎体８の設置である。
【００２２】
図５は、植栽木を安定した状態で樹木固定基礎体に移植固定できる樹木根鉢補助具を示すものである。硬質ポリエチレン有孔板９ａを、植栽する樹木根鉢の高さと根鉢周囲長より一回り大きいリング状に形成し、リング内壁面に孔口から用土が流失しないようにポリエステルの不織布シート５を装着した樹木根鉢補助具９である。なお、樹木根鉢補助具への植栽樹木根鉢部の設置手順は、まず樹木根鉢補助具内に植栽樹木根鉢部を据置し、根鉢とリング内の隙間に水で十分に練った肥沃土（ココピート４０％、水苔２０％、バーク堆肥２０％、山砂１０％、炭１０％の混合土に有機肥料、遅効性肥料を混合したもの）を詰込み根鉢底を水平で安定した状態にする。
【００２３】
図６は、根鉢部固定具１０の部材を示す斜視図である。植栽木の根鉢部を抑えるための鉄パイプ１１ａ、それを連結するワイヤー１１ｂ、それを結束するワイヤークリップ１１ｃからできている補助金具１１と、  該補助金具を掛止固定する掛止爪部１２ａ、Ｊ型アンカー１３に固定される連結固定部１２ｂとを有している爪体１２と、及び該爪体を連結固定する頭部ネジ切部１３ａとナット１４、樹木固定基礎体に連結固定する掛止フック部１３ｂを有するＪ型アンカー１３にて構成されていることを示す斜視図である。
【００２４】
図７は、図１から図６の手順で屋上等のコンクリート面上の植栽緑化範囲に防水シート、防根シートの順に敷き詰め、その上に植栽マット体１５を敷設し、樹木植栽する位置に樹木固定基礎体８を配置し、該樹木固定基礎体８が隠れる程度に用土を覆土し、格子状に組んだ樹木固定基礎体８の中心上に樹木根鉢補助具９で根鉢を覆った植栽木１６を垂直に据え置き、根鉢上面部に根鉢部固定具の補助金具１１（鉄パイプを連結したワイヤー）を載置し、該補助金具１１ａの複数箇所にＪ型アンカー１３を複数本配置し、該J型アンカーの掛止フック部１３ｂを樹木固定基礎体の鉄輪８ｂに掛止し、爪体１２の掛止爪部１２ａを補助金具の鉄パイプに掛止して樹木根鉢を抑えるようにＪ型アンカーの頭部ネジ切部に連結固定部を通しナット１４を締め付けることにより根鉢部を樹木固定基礎体に固定し、植栽木が垂直に植栽される状態を示したものである。
【００２５】
図８は、以上図１〜図７の手順で樹木植栽後、根鉢部やそれ以外の植栽マット上に約１０ｃｍ厚の覆土を施し、全体を張芝１７で覆った植栽基盤土厚１５ｃｍの無土壌面樹木植栽緑化工法の完成図である。
【産業上の利用可能性】
【００２６】
重量制限が厳しい既存のコンクリート建物が多い都市部の屋上に樹木を交えた植栽緑化が低価格でできる無土壌面樹木植栽緑化工法は、植物の持つ温度上昇緩和及びオアシス効果によりヒートアイランド現象を緩和し、癒しの場所として、さらに都市景観の向上を図れることから、これからの都市緑化として今後利用される可能性が高いものになった。
【符号の説明】
【００２７】
１    基本型枠
１ａ  上部L型部
１ｂ  掛止角
２    割増型枠
２ａ  下部L型部
２ｂ  孔
３    転圧ローラー
３ａ  ベアリング
３ｂ  牽引棒
３ｃ  給排水口
４    ラッセルネットシート
５    不織布シート
６    植栽基盤土
７    樹脂系ネット
８    樹木固定基礎体
８ａ  鉄筋
８ｂ  鉄輪
８ｃ  鋼管
８ｄ  結束
９    樹木根鉢補助具
９ａ  硬質ポリエチレン有孔板
１０    根鉢部固定具
１１    補助金具
１１ａ  鉄パイプ
１１ｂ  ワイヤー
１１ｃ  ワイヤークリップ
１２    爪体
１２ａ  掛止爪部
１２ｂ  連結固定部
１３    Ｊ型アンカー
１３ａ  頭部ネジ切部
１３ｂ  掛止フック部
１４    ナット
１５    植栽マット体
１６    植栽木
１７    張芝
【図１】
2010284083.tif 000003
【図２】
2010284083.tif 000004
【図３】
2010284083.tif 000005
【図４】
2010284083.tif 000006
【図５】
2010284083.tif 000007
【図６】
2010284083.tif 000008
【図７】
2010284083.tif 000009
【図８】
2010284083.tif 000010
【手続補正書】
【提出日】平成22年2月17日(2010.2.17)
【手続補正１】
【補正対象書類名】特許請求の範囲
【補正対象項目名】全文
【補正方法】変更
【補正の内容】
【特許請求の範囲】
【請求項１】
掛止角を装着した基本型枠上に、ラッセルネットシートと不織布シートと樹脂系ネット
を敷設し、その上に掛止角が通る孔が形成されている割増型枠を重ね合わせて、植栽基盤
土を割増型枠の高さに盛り込み、その高さを転圧ローラーにて基本型枠の高さに転圧した
後、割増型枠を外し、植栽基盤土を不織布シートで包み、さらにラッセルネットシートで
覆い、定形の植栽マット体を現場で形成することを特徴とし、定形の植栽マット体敷設部
分の周囲と緑化対象の周辺部に囲まれた不定形部分については、不定形部分に直接、ラッ
セルネットシートと不織布シートを敷き、その上に植栽基盤土を盛り、周囲の既設マット
体の高さに転圧後に、不織布シート及びラッセルネットシートで包み込み、前記不定形部
分の形状に合わせた植栽マット体を現場で形成することを特徴とする植栽マット体製造方
法。
【請求項２】
請求項１で形成された植栽マット体を敷設した緑化対象域のうち、樹木植栽位置の植栽
マット体上に鉄筋・鉄輪・鋼管を用いた樹木固定基礎体を配置し、根鉢部に根鉢補助具を
装着した樹木を、樹木固定具を用いて該樹木固定基礎体に垂直に固定し、該根鉢部を含め
緑化対象域全体に１０ｃｍ厚程度の覆土をし、全面に張芝を施した無土壌面樹木植栽緑化
工法。
【手続補正２】
【補正対象書類名】明細書
【補正対象項目名】全文
【補正方法】変更
【補正の内容】
【発明の詳細な説明】
【技術分野】
【０００１】
本発明は、コンクリートを打設した屋上床面やアスファルト又はコンクリートで舗装さ
れた無土壌面に植栽マット体を形成し、地上に突出する支柱を使用せず、樹木の大きさを
問わず植栽できる植栽緑化工法に関するものである。
【背景技術】
【０００２】
市街地は、都市化が進むにしたがって高層建築が乱立すると共に、地面の多くがアスフ
ァルトやコンクリートによる舗装が行なわれ植物の生育する場所が減少し、草花や樹木類
の植物が少なくなり自然環境が失われている。しかも高層建築物から排出される熱エネル
ギーは、地球温暖化など自然環境を壊す一因となっている。このため、人間社会に癒しや
潤いを与え、生活周辺に自然環境を取り戻すために市街地の緑化が強く要求されている。
【０００３】
そこで、当社が開発した特許文献１の「樹木固定具を用いたコンクリート打設面用の樹
木生育装置とその樹木生育工法」や特許文献２の「樹木系植物の緑化工法と薄型緑化シス
テム」を用いての植栽緑化が普及しつつある。
【０００４】
しかし、特許文献１の工法は、ボックス型植栽箱に樹木固定具を用いて植栽木を固定植
栽する植栽工法で、屋上や店舗前の修景緑化に適しているが、植栽箱を配置する庭園設計
は、従来の庭園造りとしては、自然観に物足りなさがあった。さらに緑化範囲に基礎鉄筋
部と貯水部を設けてあるため、荷重制限が厳しい既存建物への設置は重量的にげんかいが
あった。
【０００５】
また、特許文献２の手法は、薄型植生マット体の表面に、腐食しにくいネット状又は格
子状の抑え体が固定されている緑化対象域に、樹木系植物を植栽し、無土壌面や既存の植
生緑化施工面に草花類及びセダム系植物を植えるだけでなく、樹木を含め簡単に緑化する
ための樹木系植物の緑化工法とそのための薄型システムであるが、樹木と言っても低木植
栽となるため既存建物への設置は可能であったが庭園的な風景に物足りなさがあった。
【先行技術文献】
【特許文献】
【０００６】
【特許文献１】特許第３４１６７９９号
【特許文献２】特許第３８９６３６０号公報
【発明の概要】
【発明が解決しようとする課題】
【０００７】
荷重制限を考慮して屋上等の無土壌面に植栽マット体を用いて植栽緑化を施工する場合に
、一般的に施工域の形状は不整形が多いため、規格品の方形植栽マットだけで緑化範囲を
覆うことが難しいため、現場状況に合わせ植栽マット体を手縫い加工（植栽マット体を切
断すると縫い糸がほどけマット体がバラバラになってしまう。）して、敷設すると余分な手
間と労務費が掛かる。さらに施工箇所が遠距離の場合、成形物である植栽マット体の運搬
費等経費がかさみ施工単価が割高になっていた。これらの課題を解決した上で既存の建物
屋上にでも高木や中低木を交えた庭園型植栽緑化を可能とし、景観上支障となる支柱木が
なくとも、ビル風や風雨などの強風によって植栽木が倒木することなく、自然的な樹木の
景観を保てる植栽緑化工法の開発。
【課題を解決するための手段】
【０００８】
上記課題を解決するため、現地にて植栽基盤土を調達し、現場にて掛止角が突出している
基本枠と掛止角が通る孔口が形成されている割増型枠に不織布シート、ラッセルネット、
樹脂系ネットを用いて植栽基盤土を現場形状に合せた植栽マット体を形成敷設し、縁廻り
末端部に空間が開く場合には、植栽マット体と端部の間に空いた空間部にラッセルネット
シート、不織布シートの順に敷設し、水で練った植栽基盤土を覆土し、該不織布シート、
該ラッセルネットシートで包み込み植栽マット体を形成する。また、荷重制限が厳しい既
存の建物屋上への高木や忠低木を交えた庭園型植栽緑化は、荷重の大部分を占める植栽土
壌を５ｃｍ厚の植栽マット体及び約１０ｃｍ厚の盛土により、植物が生育可能な１５ｃｍ
前後の生育基盤土層として、５ｃｍ厚の植栽マット体上に樹木固定基礎体・根鉢補助具・
樹木固定具を用いて植栽木を垂直固定植栽後、全体にやく１０ｃｍ厚に盛土し、表面に張
芝を施し、風雨等による飛散や流出の防止と軽量化を図った無土壌面樹木植栽緑化工法。
【発明の効果】
【０００９】
現地調達の植栽基盤土を用い、型枠を使って施工箇所にあった植栽マット体を成型し、緑
化域に残った不整形の空間部に従来のように縫製することなく施工箇所にあった植栽マッ
ト体包製成形し、敷設することにより、労務費等の経費削減が図られ施工単価を引き下げ
られた。また、植栽マット体内に樹脂系ネットが入っていることにより持ち運ぶ場合でも
型くずれすることなく設置でき、やがて植栽植物の根が該樹脂系ネットに絡み植栽マット
体と一体になり、植栽植物が強風で飛散することがない。
【００１０】
屋上緑化に植栽マット体を使用したことにより、風雨等による植栽基盤土の流失がなく、
樹木を植栽する場合でも特別厚い盛土を形成することなく、また樹木固定基礎体と樹木固
定具を用いた簡単な組立作業により、支柱を使わず自由な位置に植栽し、盛土層内に安定
した状態で保持できるため、本格的庭園造りが短期間に低コストで施工できる。
【００１１】
また、植栽木の根鉢を、樹木根鉢補助具に仮植することにより、根鉢底部が平になるた
め、植栽木は傾きやぐらつきがなく、樹木固定基礎体に垂直に固定され、強風や振動によ
って倒木することがなく、さらに基礎鉄筋部と貯水槽部をなくしたことにより盛土を含め
重量の大幅削減が図られ、既存のビル屋上にでも高木を交えた庭園緑化が可能となった。
【図面の簡単な説明】
【００１２】
【図１】植栽マット体を形成する型枠を示す平面図である。
【図２】植栽基盤土を水重量で圧縮する転圧ローラーを示す斜視図である。
【図３】植栽マット体を形成する手順を示す説明図である。
【図４】植栽木を固定する樹木固定基礎体を示す斜視図である。
【図５】植栽木の根鉢部を保護固定する樹木根鉢補助具を示す斜視図である。
【図６】根鉢部固定具の部材を示す説明図である。
【図７】樹木固定基礎体に植栽木を植立固定した状態を示す斜視図である。
【図８】植栽マット体上に樹木植栽と周囲を芝生緑化した状態を示す完成図である。
【発明を実施するための形態】
【００１３】
以下、本発明の緑化工法の実施形態について、図面に基づいて詳細に説明する。
【実施例】
【００１４】
始めに屋上の植栽緑化範囲に防水シートを、防水シートの重ね合わせ箇所に粘着剤を施
しながら隙間なく敷設し、その上全面とパラペット部の立ち上がり部分に防根シートを、
防根シートの重ね合せ箇所に粘着剤を施しながら隙間なく敷設し、その上に植栽マット体
を隙間なく敷設する。
図１に示す平面図は、現地調達した植栽基盤土を不織布シートとラッセルネットシートと
で包み、５ｃｍ厚の植栽マット体を形成するアルミ板型枠を示したものである。
イは、植栽基盤土を植栽マット体化する基本型枠１を示す。その大きさは、型枠内が縦１
ｍ・横１ｍ・高さが５ｃｍで、上部L型部１ａは、幅３ｃｍで、その一辺に３箇所ラッセ
ルネットシートが掛止めできる掛止角１ｂが突出しており、縦１ｍ・横１ｍ・厚さ５ｃｍ
のマット体を形成するための基本型枠である。なお、他に基本型枠の大きさは、縦１ｍ・
横５０ｃｍ、縦５０ｃｍ・横５０ｃｍの他、また形は、三角形、台形等、現場に合わせ製
作可能な基本型枠がある。
ロは、イの上に重ねて使用する割増型枠２で、型枠内の大きさは、縦１ｍ・横１ｍ・高さ
が２ｃｍで、下部Ｌ型２ａは幅３ｃｍで、一辺に３箇所掛止角が通る孔２ｂが形成され、
植栽基盤土を転圧ローラーで転圧した時の目減り量約３割（約２ｃｍ）の植栽基盤土を盛
土するための割増型枠である。なお、この割増型枠は、基本型枠の大きさに合わせて製作
されている。
【００１５】
図２は、割増型枠内の所定位置まで盛土した植栽基盤土を基本型枠の高さまで転圧する
転圧ローラー３である。直径３０ｃｍ・長さが４０ｃｍ前後の鋼管の両端を塞ぎ、左右円
の中心部にベアリング３ａを用いた牽引棒３ｂと円周近くに水の給排水口３ｃが形成され
た転圧ローラー３である。この転圧ローラーは、使用時ローラー内部に吸水して水の重さ
で植栽基盤土を転圧し、片付けるときには、水を抜き取るため、軽量で持ち運びが便利な
転圧ローラーである。なお、転圧ローラーは、鋼管だけでなくアルミ缶・樹脂管にて形成
される場合もある。
【００１６】
図３は、図１の基本型枠と図２の転圧ローラーを用いて、植生基盤土を植栽マット体に
する手順を示した説明断面図である。
イは、基本型枠１内に、まず植栽基盤土を包み込む不織布シート５を保護する中低圧ポリ
エチレンのラッセルネットシート４を、上部Ｌ型部１ａの平面部に重なるように重ね掛止
角１ｂに掛止させ、枠内に添って敷設する。次にその上に植栽基盤土を包み込むポリエス
テル製の不織布シート５を該ラッセルネットシートと同じく敷設する。なお、いずれのシ
ートも植物の根や芽を通す目合のシートで基本型枠の大きさに植栽基盤土の厚さと上部Ｌ
型部の長さと表面を覆う長さで切り揃えたシートである。
【００１７】
ロは、イでラッセルネットシートと不織布シートとを敷設した基本型枠の上部Ｌ型部１
ａの掛止角に、割増型枠２の下部Ｌ型部２ａに形成した孔口が重なるように割増型枠を重
ね、枠内の中間部分の高さまで植栽基盤土６を盛土し、切断加工が容易な樹脂系ネット７
を枠内幅に合わせ敷設し、その上に転圧後５ｃｍ厚になるように該割増型枠内の上部まで
植栽基盤土６を盛土した常態を示したものである。
【００１８】
ハは、型枠内に盛土した植栽基盤土６上に転圧ローラー３を載せ、基本型枠１の５ｃｍ
高まで植栽基盤土を転圧した状態を示したものである。なお、植栽基盤土は、軽量で保水
力の高い機能をもつ、ココピート３０％、水苔２０％、バーク堆肥２０％、黒土２０％、
ピートモス１０％の混合土に有機肥料、遅効性肥料、化成肥料を混合した植栽基盤土とす
る。
【００１９】
ニは、基本型枠１の５ｃｍ高まで植栽基盤土の転圧完了後、割増型枠を外し、基本型枠
の上部Ｌ型平面部１ａの掛止角１ｂに掛止している不織布シート５を外し、植栽基盤土６
の縁周り土を巻き込むように不織布シートで包み込む、次に掛止角からラッセルネットシ
ート４を外し、不織布シートと同じ手順で、縁周りを巻き込んでいるラッセルネットシー
トと表面を覆うラッセルネットシートが重なり合う縁周りでラッセルネットシート同士を
約２０ｃｍ前後の一定間隔で粘着し植栽基盤土をマット体化する。
【００２０】
以上図の３のイからニの手順で、型枠を用いて現場形状に合わせた規格外の植栽マット
体を形成し、緑化範囲に隙間なく敷設していき、縁周り末端部に空間が空く場合には、植
栽マット体と端部の間に開いた空間分にラッセルネットシート、不織布シート、の順に敷
設し、植生基盤土を覆土転圧し、該不織布シート、該ラッセルネットシートで包み込みラ
ッセルネットシート同士の重ね合わせ箇所を一定間隔で粘着し植栽マット体を形成する。
【００２１】
図４は、植栽マット体上に地上部支柱を使用せずに樹木の植栽を可能とする樹木固定基
礎体を示すものである。
イは、樹木固定基礎体８の部材を示すもので、植栽木の樹高・枝張・幹周に応じて太さ９
ミリ〜２２ミリの鉄筋で根鉢径に合わせ格子状に形成する長さ１ｍの鉄筋８ａと  樹木固
定具のＪ型アンカーの掛止フック部を掛止する鉄輪８ｂと  樹木に合わせ鉄筋を継ぎ足す
場合の継手用鋼管８ｃからなる樹木固定基礎体８である。
ロは、樹木固定基礎体を緑化範囲で樹木植栽位置に設置した状態を示したもので植栽樹木
の根鉢径に合わせ鉄筋８ａを格子状に組み、鉄筋の交差部分を鉄線や結束バンドで結束８
ｄ後、格子上に組んだ鉄筋の下部となった鉄筋に鉄輪８ｂを格子状の四隅に形成し、植栽
樹木を固定する樹木固定基礎体８の設置である。
【００２２】
図５は、植栽木を安定した状態で樹木固定基礎体に移植固定できる樹木根鉢補助具を示
すものである。硬質ポリエチレン有孔板９ａを、植栽する樹木根鉢の高さと根鉢周囲長よ
り一回り大きいリング状に形成し、リング内壁面に孔口から用土が流失しないようにポリ
エステルの不織布シート５を装着した樹木根鉢補助具９である。なお、樹木根鉢補助具へ
の植栽樹木根鉢部の設置手順は、まず樹木根鉢補助具内に植栽樹木根鉢部を据置し、根鉢
とリング内の隙間に水で十分に練った肥沃土（ココピート４０％、水苔２０％、バーク堆
肥２０％、山砂１０％、炭１０％の混合土に有機肥料、遅効性肥料を混合したもの）を詰
込み根鉢底を水平で安定した状態にする。
【００２３】
図６は、根鉢部固定具１０の部材を示す斜視図である。植栽木の根鉢部を抑えるための
鉄パイプ１１ａ、それを連結するワイヤー１１ｂ、それを結束するワイヤークリップ１１
cからできている補助金具１１と、  該補助金具を掛止固定する掛止爪部１２ａ、Ｊ型ア
ンカー１３に固定される連結固定部１２ｂとを有している爪体１２と、及び該爪体を連結
固定する頭部ネジ切部１３ａとナット１４、樹木固定基礎体に連結固定する掛止フック部
１３ｂを有するＪ型アンカー１３にて構成されていることを示す斜視図である。
【００２４】
図７は、図１から図６の手順で屋上等のコンクリート面上の植栽緑化範囲に防水シート
、防根シートの順に敷き詰め、その上に植栽マット体１５を敷設し、樹木植栽する位置に
樹木固定基礎体８を配置し、該樹木固定基礎体８が隠れる程度に用土を覆土し、格子状に
組んだ樹木固定基礎体８の中心上に樹木根鉢補助具９で根鉢を覆った植栽木１６を垂直に
据え置き、根鉢上面部に根鉢部固定具の補助金具１１（鉄パイプを連結したワイヤー）を
載置し、該補助金具１１ａの複数箇所にＪ型アンカー１３を複数本配置し、該Ｊ型アンカ
ーの掛止フック部１３ｂを樹木固定基礎体の鉄輪８ｂに掛止し、爪体１２の掛止爪部１２
ａを補助金具の鉄パイプに掛止して樹木根鉢を抑えるようにＪ型アンカーの頭部ネジ切部
に連結固定部を通しナット１４を締め付けることにより根鉢部を樹木固定基礎体に固定し
、植栽木が垂直に植栽される状態を示したものである。
【００２５】
図８は、以上図１〜図７の手順で樹木植栽後、根鉢部やそれ以外の植栽マット体上に約
１０ｃｍ厚の覆土を施し、全体を張芝１７で覆った植栽基盤土１５ｃｍの無土壌面樹木植
栽緑化工法の完成図である。
【産業上の利用可能性】
【００２６】
重量制限が厳しい既存のコンクリート建物が多い都市部の屋上に樹木を交えた植栽緑化が低価格でできる無土壌面樹木植栽緑化工法は、植物の温度上昇を緩和及びオアシス効果によりヒートアイランド現象を緩和し、癒しの場所として、さらに都市景観の向上を図れることから、これからの都市緑化として今後利用される可能性が高いものになった。
【符号の説明】
【００２７】
１    基本型枠
１ａ  上部Ｌ型部
１ｂ  掛止角
２    割増型枠
２ａ  下部Ｌ型部
２ｂ  孔
３    転圧ローラー
３ａ  ベアリング
３ｂ  牽引棒
３ｃ  給排水口
４    ラッセルネットシート
５    不織布シート
６    植栽基盤土
７    樹脂系ネット
８    樹木固定基礎体
８ａ  鉄筋
８ｂ  鉄輪
８ｃ  鋼管
８ｄ  結束
９    樹木鉢部固定具
９ａ  硬質ポリエチレン有孔板
１０    根鉢部固定具
１１    補助金具
１１ａ  鉄パイプ
１１ｂ  ワイヤー
１１ｃ  ワイヤークリップ
１２    爪体
１２ａ  掛止爪部
１２ｂ  連結固定部
１３    Ｊ型アンカー
１３ａ  頭部ネジ切部
１３ｂ  掛止フック部
１４    ナット
１５    植栽マット体
１６    植栽木
１７    張芝
【手続補正書】
【提出日】平成22年3月26日(2010.3.26)
【手続補正１】
【補正対象書類名】特許請求の範囲
【補正対象項目名】請求項１
【補正方法】変更
【補正の内容】
【請求項１】
掛止角を装着した基本型枠上にラッセルネットシートと不織布シートとを敷設して、その上に掛止角が通る孔が形成されている割増型枠を重ね合わせて、型枠内に中間部まで植栽基盤土を盛り込み、その上に樹脂系ネットを敷き、さらに植栽基盤土を割増型枠の高さに盛り込み、その高さを転圧ローラーにて基本型枠の高さに転圧した後、割増型枠を外し、植栽基盤土を不織布シートで包み、さらにラッセルネットシートで覆い、形成する定形の植栽マット体と、  定形の植栽マット体敷設部分の周囲と緑化対象の周辺部に囲まれた不定形部分については、不定形部分に直接、ラッセルネットシートと不織布シートを敷き、その上に植栽基盤土を盛り、周囲の既設マット体の高さに転圧後に、不織布シート及びラッセルネットシートで包み込んで形成する前記不定形部分の形状に合わせた植栽マット体とを  現場の形状に合わせて現場で形成することを特徴とする植栽マット体製造方法。